(57)【要約】ソースを付けて食べるフードのためのバッグ又はパッケージ。底部（２）と、上部に口（４）を形成する周側筒（３）とからなり、ファーストフード店で使用するための食品を入れるバッグ又はパッケージであって、バッグ又はパッケージ内に置かれた前記食品のために付属するソースを入れる少なくとも１つの皿（６）を安定した状態で受けて支持する取付要素（１４）を備える少なくとも１つの事前に成形された支持手段を含んでなるバッグ又はパッケージ。【選択図】図１
2004513694.tif 000002
【特許請求の範囲】
【請求項１】
底部（２）と、上部に口（４）を形成する周側筒（３）とから成り、ファーストフード店で使用され食品を入れるためのバッグ又はパッケージ（１）であって、該バッグ又はパッケージ内に置かれる前記食品に付属するソースを入れる皿（６）を安定した状態で受けて支持する取付要素（１４）を備える少なくとも１つの事前に成形された支持手段（５）を含んでなることを特徴とするバッグ又はパッケージ。
【請求項２】
前記支持手段（５）は、前記皿（６）を固定状態で受けることができるように設けられている請求項１のバッグ又はパッケージ。
【請求項３】
前記支持手段（５）は、前記周側筒（３）に取り付けられ前記周側筒（３）から少なくとも部分的にほぼ放射状に延伸して支持面（１２Ａ）を形成するフラップ（１２）からなり、該フラップ（１２）は前記取付要素（１４）として前記皿（６）を受ける開口（１４）を有し、該開口が前記支持面（１２Ａ）上に前記皿の周縁（１０）に対応する支持位置を与えるように設けられている請求項１又は２のバッグ又はパッケージ。
【請求項４】
前記バッグ又はパッケージ（１２）は前記口（４）のレベルにおいてほぼ放射状に延伸する請求項１、２又は３のバッグ又はパッケージ。
【請求項５】
前記フラップ（１２）は関節ジョイント（１５）により前記周側筒（３）に連結されて前記周側筒（３）に対して可動である請求項１乃至４のいずれか１つに記載のバッグ又はパッケージ。
【請求項６】
前記フラップ（１２）は前記周側筒（３）と同じ材料からなる請求項３，４又は５のバッグ又はパッケージ。
【請求項７】
前記フラップ（１２）は前記周側筒（３）に取り付けられた１つの要素である請求項３又は４のバッグ又はパッケージ。
【請求項８】
前記周側筒（３）に対する前記支持手段（５）の位置を維持する安定化手段（１２Ｃ，１４Ａ，１７，１８，１５，６）を含んでなる請求項１乃至７のいずれか１つに記載のバッグ又はパッケージ。
【請求項９】
前記安定化手段は前記皿（６）自体から成り、前記皿はそれが前記開口（１４）に挿入されたときに前記周側筒（３）に対する前記支持位置に来る請求項８のバッグ又はパッケージ。
【請求項１０】
前記安定化手段は前記支持手段（５）に取り付けられ前記支持手段（５）によって担持されている請求項８のバッグ又はパッケージ。
【請求項１１】
前記安定化手段は前記フラップの折り曲げ要素（１７，１８）からなる請求項３及び８に記載のバッグ又はパッケージ。
【請求項１２】
前記安定化手段は、前記開口（１４）を形成及び塞ぐパーティション（１４Ａ）を形成するプレカット部（１４Ａ）であって、展開位置に来たときに前記周側筒（３）に支持固定されるプレカット部である請求項１１のバッグ又はパッケージ。
【請求項１３】
前記折り曲げ要素は、一端（１８）において前記周側筒（３）に支持固定される２つの折り曲げアーム（１７）からなる請求項１１のバッグ又はパッケージ。
【請求項１４】
プラスチック材料又はカードボードから作られている請求項１乃至１３のいずれか１つに記載のバッグ又はパッケージ。
【請求項１５】
請求項１乃至１４のいずれか１つに記載のバッグ又はパッケージと、付属のソースの入った皿（６）であって、前記バッグ又はパッケージの前記支持手段によって受けられ支持される皿とからなるセット。
【発明の詳細な説明】
【０００１】
【技術分野】
本発明は、一般にソースをつけて食するフライドポテト、フリッター、サラダ、生野菜その他の食物（フード）を入れるためにファーストフード店で使用される一般的なフードバッグに関する。これらのフードはどこでも食され、一般に、通常のレストランのような今まで食べていた場所の外でも食される。
【０００２】
本発明はフードを入れるためのファーストフード店で使用するバッグであって、底部と、フードを出し入れするための口を上部に形成する周側筒とを備えるバッグに関する。
【０００３】
本発明は同様にファーストフード店で使用する前記のようなタイプのバッグによって形成されたセットであって、バッグに入れられたフードにつけるソースを入れる皿を備えるものに関する。
【０００４】
【背景技術】
ファーストフード店施設において客にどのようにして食品が入れられ又は置かれるパッケージ又はバッグを提供するかは既に知られている。
【０００５】
これらのパッケージ又はバッグは一般に再生利用可能なカップボード材料で作られていて、上部に口を形成する周側筒と、下部とを含んでいる。この上部の口を介して、中にフードを入れることができ、また、中に入れられているフードにアクセスすることができる。
【０００６】
また、これらのバッグは、通常のレストランシステムの外で食べることを可能にし、バッグ内のフードをどのような場所及びどのような環境においても直接掴むことができるので、「適所で」で食することを可能にする。
【０００７】
また、このタイプのパッケージは、非常に実用的な方法でフードを輸送することを可能にし、「ファーストフード店」と呼ばれるレストランの基本的な要素の１つを構成する。
【０００８】
対照的に、今日知られている伝統的なバッグ又はパッケージは、バッグ内に入れられた主フードにソース又は香辛料や薬味を提供することを可能にせず、あるいは、せいぜい、可能にしているが困難性を伴っている。
【０００９】
事実、台のような支持面がなければ、ソース又は香辛料や薬味を支えることを難しくする。
【００１０】
今日知られているパッケージは、技術的な解決策として、バッグ又はパッケージの中に入れられたフードの上部にソース又は香辛料や薬味を注ぐことを可能にするだけである。
【００１１】
そのような解決策は非常に実用的であると判明したが、一般に許容できるものであるとは考えられない。事実、そのような解決策はバッグに含まれるフードに対してソース又は香辛料や薬味を最適に与えることを可能にせず、いくつかの場所において過剰あるいは過小に与えることになる。したがって、ソース、香辛料、薬味が与える味付け効果は少なくとも一部では効果がない。
【００１２】
また、食品に付けられる、あるいは、食品に味付けをするソースを皿に入れることは知られている。ファーストフード店の枠組みの中で、食事の基本をなすフードを含むバッグと関連してこれらの付ける物あるいは味付け材を使用することは非常に難しい。事実、ソースや調味料を含む皿をうまく使用するには通常（従来）のレストランの環境状況を必要とし、そのことはバッグと皿を置くことができるテーブル等の支持体を必要とする。事実、バッグに入っているフードを掴んで、それを調味料を含む皿に部分的に浸したり入れたりすることができるのはそういった状況の場合だけである。
【００１３】
本発明の目的は従来の様々な不便さを解決し、付属するソースの入った皿を使いやすくし、製造が簡単であり、かつ、実装することが特に単純であるファーストフード店で使用する新規のバッグを提供することである。
【００１４】
本発明の別の目的は、ファーストフード店で使用する再利用可能な新規のバッグを提供することである。
【００１５】
本発明のさらに別の目的は、ファーストフード店で使用され、使用されている間に特に安定する新規のバッグを提供することである。
【００１６】
本発明のさらに別の目的は、ファーストフード店で使用され、関連する皿を置くことが特に簡単である新規のバッグを提供することである。
【００１７】
本発明のさらに別の目的は、ファーストフード店で使用され、関連する皿を特に安定した状態で支持することが可能な新規のバッグを提供することである。
【００１８】
本発明の別の目的は、本発明のバッグと、付属するソースを含む皿の新規なセットを提供することである。
【００１９】
【発明の開示】
本発明のこれらの目的は、ファーストフード店で使用するための、底部と、上側に口を形成する周側筒とを含んでなる、食品を入れるバッグであって、バッグに入れられた食品に使用する付属のソースを入れる少なくとも１枚の皿を安定した状態に受けて支える付属要素を支持するように事前に成形された手段を含むことを特徴とするバッグによって達成される。
【００２０】
本発明において、用語「ファーストフード店」は、フードを固定テーブル又は固定場所で提供する通常のレストランの外で一般に食されるテイクアウトフードを提供する店を意味する。
【００２１】
本発明の目的は、添付の発明の詳細な説明を読み、それに付属する図を見ることによってより詳しく理解される。これらの詳細な説明及び図は例示的なものであり、本発明はその例示に限定されるものではない。
【００２２】
【発明の実施形態】
図１〜４は、一般に手で調味料を付けて食するフライドポテト、フリッター等のタイプのフードを入れるためのファーストフード店で使用されるバッグ１を示す。
【００２３】
本発明において、用語「バッグ」は、フライドポテト、フリッター、サラダ、生野菜などの一般に個体で分離した複数の物であるフードを受けて支えるの十分な強さ（剛性）を有する箱その他種々の容器（蓋は有っても、無くてもよい）であるあらゆるコンテナ又はパッケージを意味する。
【００２４】
標準的に、そういった箱（バッグ）１は、一般にリサイクル可能なカードボード、カートン材料又はプラスチック材料から作られた容器である。バッグ１は、過度の変形を生じることなく、中に入れるフードの重量を支えることができるように、かつ、必要とされる製造上の制約を満たし、そして、バッグが取り扱われるときに支持可能であるように十分な剛性を有する材料から作られる。
【００２５】
バッグ１は、底部２と、該底部から立ち上がり上部に口４を形成する周側筒３から成り、底部２と周側筒３よって形成される内部スペースに口４を介してフードを入れることができ、また、その空間内のフードにアクセスすることができる。
【００２６】
図１乃至４及び６から理解されるように、底部２と周側筒３によって形成されるスペースは本質的には截頭幾何学形状を有し、底部２は口４より低い位置に位置する面であり、例えば、バッグが支持平面上で安定して静止することができるように平坦な面にすることができる。
【００２７】
発明の枠組みから逸脱することなく、バッグをその他の截頭体とすることができることは明白であり、例えば、長方形（図５及び７）、正方形、筒状、多角形等にすることが可能である。
【００２８】
発明の重要な特性によると、バッグ１は、その中に入れられた食品に使用する付属のソースを入れる少なくとも１つの皿６を安定した状態で受けて支えるのに適する取付要素１４を備える事前成形された少なくとも１つの支持手段５を含む。
【００２９】
皿６は、公知のように、底部８と、そこから上方に延伸する側壁９であって上部において皿６の中心対称軸に関して放射状に外側に向いた周縁１０を形成する側壁９を有する容器７から成る。そして、側壁９はまた蓋１１を有し、この蓋をぴったりと閉じることにより、バッグ１に入れられた食品に味付け等をするためのソース、香辛料、薬味、調味料等を保存することができる。
【００３０】
本発明において、用語「ソース」は、例えば、液体、個体、またはペースト状とすることができ、その粘性にかかわらずに、フードのための調味や薬味として使用することができるすべてのものを意味する。
【００３１】
発明によると、支持手段は、周側筒３に取り付けられたフラップ１２から成り、このフラップは使用されるときの通常の位置ではバッグ１の中心対称軸に関して周側筒３から少なくとも部分的に半径方向に延伸して支持面１２Ａを形成している。フラップ１２はまた、取付要素として、例えば、そのほぼ中央に、皿６を受ける少なくとも１つの開口１４を備える。即ち、開口１４は支持位置にあり周縁１０を支持面上に受ける。フラップ１２を平坦にすることができ、あるいは、好ましくは、（曲面状に）丸く（図８参照）して、皿６の安定性をよくするためにバッグの下側、即ち底部２に向かって折り返して凹部５Ａを形成することができる。
【００３２】
変形例として、フラップ１２は、図６に示すように、周側筒３に取付け可能な要素とすることができ、即ち、バッグ１から独立していてそれに取り付けることができる。
【００３３】
この変形例によると、フラップ１２は、例えば、長方形または正方形の支持面体１２Ａから成ることができ、その縁は側面１２Ｂに沿って下方に延伸し（図６）、望ましくは、周側筒３に突き合わせ接続とすることができる。周側筒３の帯３Ａ上にフラップ１２を取り付けるために、２つの対向側面１２Ｂに互いに直線をなす２つの切込み１２Ｃが入れられ、切込み１２Ｃは前記帯３Ａに引っ掛けられる。切込み１２Ｃは、フラップ１２を安定させるように十分長い。
【００３４】
全く明らかであるが、皿６の大きさ、寸法及び、特に、底部８と側壁９の大きさ、寸法は、開口１４の大きさ、寸法に合ったものとされるので、皿６を開口１４に挿入することができる。
【００３５】
変形例としてフラップ１２に数個の開口を設け、各開口が１つの皿６を受けるようにすることも可能である。
【００３６】
図ｌに示すように、皿６は、一般に、円形または楕円形である対称形の開口１４に対応する筒状形である。
【００３７】
図２は第２の実施の形態を示し、この形態は、開口１４の形状が特別な半円形である点で第１の実施の形態と異なる。開口１４は対称形の皿６を受けるようにそれに対応しており、支持面１２Ａが皿を受ける。
【００３８】
発明の別の特徴として、フラップ１２は、周側筒３の上部に対応する口４の平面のレベルにおいて該口４からほぼ半径方向に有利に延伸する。このように、皿６は、バッグ１の内容物が保持されアクセスされるゾーンのレベルにおいて直接支持されている。発明の枠組みから逸脱することなく、フラップ１２を周側筒３に対する異なるレベルの別の位置にすることができることは明らかである。
【００３９】
発明によると、フラップ１２は周側筒３に対して動くことができ、関節ジョイント１５によって周側筒３に連結されている。この特徴により、材料を裁断してバッグを容易に製造することができ、一方、ユーザは容易にバッグ１を折り曲げ、皿６を適所に置くことができる。
【００４０】
フラップ１２を周側筒３と同じ材料で作れば、バッグとフラップ１２をモノブロックの一体として形成することができ、取付要素を必要としないという利点を有する。
【００４１】
この変形例によると、フラップ１２は周側筒３から外側にかつ底部２の上のバッグ１内の内部空間の方へ延伸し（図７）、あるいは、バッグ１の該空間の外側に片寄り外部に向かっている（図１乃至５）。
【００４２】
図３に示す第３の実施の形態によると、開口１４にはフラップ１２の厚みを貫通して形成されパーティションを形成するプレカット部１４Ａが有利に設けられている。このプレカット部を折り曲げ、破ることができる。
【００４３】
図３に示す特定の変形例によると、バッグ１は、支持手段５を周側筒３に対して安定させる手段を含む。
【００４４】
この目的のために、安定化手段は支持手段５に取り付けられてそれによって担持され、折り曲げフラップ要素１２、この場合、パーティション１４Ａとして形成される。パーティション１４Ａは展開された（折り曲げられた）ときに、その折り曲げられた片を周側筒３の外側に押しつけられた状態に支持する。
【００４５】
図３に示す特定の変形例によると、パーティション１４Ａは開口１４に対応する２つの半部分からなり、その一方の半部分の端部１５（これはタブの形状である）は、フラップ１２に隣接する周側筒３の壁を貫通して設けた対応スロット１６に挿入される。
【００４６】
従って、パーティション１４Ａの２つの半部分が展開され折り曲げられると、端部１５がスロット１６内にロックされ、支持手段５は安定した位置に維持され、周側筒３に対してロックされる。使用の際に、フラップ１２が安定した位置かつ半径方向外側の位置にロックされるので、皿６はこのようにしてフラップ１２によって特に安定した方法で支えられる。
【００４７】
そのうえ、セットの幾何学形状のおかげで、バッグ１と皿６のセットは、例えば、テーブルのような支持面上に安定した状態で静止することができる。
【００４８】
図４は第４の実施の態様を示する。この第４の態様は、図３に示す態様と安定化手段のみが異なるものである。
【００４９】
この新しい態様によると、折り曲げ要素は２つの折り曲げアーム１７からなり、それらのタブ状の端部１８は、開口１４の隣接する周側筒３の壁に設けたスロット１０に挿入される。
【００５０】
この変形例によると、折り曲げアーム１７は、その固定支持位置に相当する折り曲げ位置において前記周側筒３の壁に垂直な面内で延伸する。
【００５１】
図示されていない別の実施の形態によると、安定化手段を直接皿自体とすることができ、すなわち、皿６が口４に挿入されるとき、皿の周側筒９の一部が周側筒３に当接する支持位置に来るようにすることができる。
【００５２】
発明は、発明をなすバッグ１と、このバッグ１の支持手段によって受けられ支持され付属のソースを入れる皿６のセットに関する。
【００５３】
その結果、発明は、バッグ自体が製造されるときに単に極めて容易に裁断することにより事前成形された支持手段を実現することができるので、バッグの製造業者がパッケージの大きく変形させる必要がないという利点を有するファーストフード店用のバッグを提供することができる。
【００５４】
そのうえ、バッグ上に直接この支持手段を設けることを実現したことで、容易に再生利用可能な材料から基本的なセットを実現することができ、リサイクルすることがより難しい支持手段を使用することを避けることができる。
【００５５】
使用の際、ユーザが支持手段５を所定位置、即ち、ロック位置に位置させ、皿６を開口１４に入れると、バッグ１に含まれるフードを皿６に非常に容易に浸すことができる。
【図面の簡単な説明】
【図１】
本発明の第１の実施の形態のセットを示す斜視図である。
【図２】
本発明の第２の実施の形態のセットを示す斜視図である。
【図３】
本発明の第３の実施の形態のセットを示す斜視図である。
【図４】
本発明の第４の実施の形態のセットを示す斜視図である。
【図５】
本発明の実施の形態の変形例を示す斜視図である。
【図６】
本発明の実施の形態の変形例を示す斜視図である。
【図７】
本発明の実施の形態の変形例を示す斜視図である。
【図８】
本発明の実施の形態の変形例を示す断面図である。
【国際公開パンフレット】
2004513694.tif 000003
2004513694.tif 000004
2004513694.tif 000005
2004513694.tif 000006
2004513694.tif 000007
2004513694.tif 000008
2004513694.tif 000009
2004513694.tif 000010
2004513694.tif 000011
2004513694.tif 000012
2004513694.tif 000013
2004513694.tif 000014
2004513694.tif 000015
2004513694.tif 000016
2004513694.tif 000017
2004513694.tif 000018
2004513694.tif 000019
2004513694.tif 000020
2004513694.tif 000021
【手続補正書】
【提出日】平成15年2月7日(2003.2.7)
【手続補正１】
【補正対象書類名】明細書
【補正対象項目名】特許請求の範囲
【補正方法】変更
【補正の内容】
【特許請求の範囲】
【請求項１】
底部（２）と、上部に口（４）を形成する周側筒（３）とから成り、ファーストフード店で使用され食品を入れるためのバッグ又はパッケージ（１）であって、該バッグ又はパッケージ内に置かれる前記食品に付属するソースを入れる皿（６）を安定した状態で受けて支持する取付要素（１４）を備える少なくとも１つの事前に成形された支持手段（５）と、前記周側筒（３）に対する前記支持手段（５）の位置を維持する安定化手段（１２Ｃ，１４Ａ，１７，１８，１５，６）を含んでなり、前記安定化手段は前記フラップの折り曲げ要素（１７，１８）からなり、又は開口（１４）を形成及び塞ぐパーティション（１４Ａ）を形成するプレカット部（１４Ａ）であって、展開位置に来たときに前記周側筒（３）に支持固定されるプレカット部からなり、前記支持手段（５）は、前記周側筒（３）に取り付けられ前記周側筒（３）から少なくとも部分的にほぼ放射状に延伸して支持面（１２Ａ）を形成するフラップ（１２）からなり、該フラップ（１２）は前記取付要素（１４）として前記皿（６）を受ける前記開口（１４）を有し、該開口が前記支持面（１２Ａ）上に前記皿の周縁（１０）に対応する支持位置を与えるように設けられているバッグ又はパッケージ。
【請求項２】
前記支持手段（５）は、前記皿（６）を固定状態で受けることができるように設けられている請求項１のバッグ又はパッケージ。
【請求項３】
前記バッグ又はパッケージ（１２）は前記口（４）のレベルにおいてほぼ放射状に延伸する請求項１又は２のバッグ又はパッケージ。
【請求項４】
前記フラップ（１２）は関節ジョイント（１５）により前記周側筒（３）に連結されて前記周側筒（３）に対して可動である請求項１、２又は３のバッグ又はパッケージ。
【請求項５】
前記フラップ（１２）は前記周側筒（３）と同じ材料からなる請求項１乃至４のいずれか１つに記載のバッグ又はパッケージ。
【請求項６】
前記フラップ（１２）は前記周側筒（３）に取り付けられた１つの要素である請求項１，２又は３のバッグ又はパッケージ。
【請求項７】
前記安定化手段は前記皿（６）自体から成り、前記皿はそれが前記開口（１４）に挿入されたときに前記周側筒（３）に対する前記支持位置に来る請求項１のバッグ又はパッケージ。
【請求項８】
前記安定化手段は前記支持手段（５）に取り付けられ前記支持手段（５）によって担持されている請求項１のバッグ又はパッケージ。
【請求項９】
プラスチック材料又はカードボードから作られている請求項１乃至８のいずれか１つに記載のバッグ又はパッケージ。
【請求項１０】
請求項１乃至９のいずれか１つに記載のバッグ又はパッケージと、付属のソースの入った皿（６）であって、前記バッグ又はパッケージの前記支持手段によって受けられ支持される皿とからなるセット。
【国際調査報告】
2004513694.tif 000022
2004513694.tif 000023
2004513694.tif 000024